【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
内燃機関の気筒内に一般燃料とエマルジョン燃料を噴射する燃料噴射装置であって、
前記一般燃料と前記エマルジョン燃料を噴射するプレ噴射も可能な燃料噴射手段と、
前記燃料噴射手段から噴射される燃料として前記一般燃料と前記エマルジョン燃料を切り替える燃料切替手段と、
前記一般燃料と前記エマルジョン燃料の切り替えを設定する燃料切替設定手段と、
前記内燃機関の運転中に前記燃料切替設定手段で前記一般燃料から前記エマルジョン燃料への切り替えが設定されたときに、前記燃料切替手段で前記一般燃料から前記エマルジョン燃料に切り替えると共に、前記燃料噴射手段における前記プレ噴射の噴射条件の変更を行う燃料噴射制御手段を備えることを特徴とする燃料噴射装置。
【請求項２】
請求項１に記載の燃料噴射装置であって、
前記燃料噴射制御手段は、前記燃料切替設定手段で前記一般燃料が設定されているときにも前記プレ噴射を行うと共に、前記燃料切替設定手段で前記一般燃料から前記エマルジョン燃料への切り替えが設定されたときには前記プレ噴射の前記噴射条件を変更することを特徴とする燃料噴射装置。
【請求項３】
請求項１又は２に記載の燃料噴射装置であって、
前記燃料噴射手段は、前記一般燃料又は前記エマルジョン燃料を噴射する主燃料系と、前記一般燃料又は前記エマルジョン燃料を噴射する副燃料系を備え、
前記プレ噴射を行うときには前記副燃料系から噴射を行うことを特徴とする燃料噴射装置。
【請求項４】
請求項３に記載の燃料噴射装置であって、
前記プレ噴射は、前記副燃料系から前記一般燃料を噴射することを特徴とする燃料噴射装置。
【請求項５】
請求項４に記載の燃料噴射装置であって、
前記副燃料系から前記一般燃料として軽油又はＡ重油を噴射することを特徴とする燃料噴射装置。
【請求項６】
請求項３に記載の燃料噴射装置であって、
前記燃料噴射制御手段は、前記主燃料系より噴射される前記一般燃料又は前記エマルジョン燃料の性状により前記副燃料系による前記プレ噴射の前記噴射条件を変更することを特徴とする燃料噴射装置。
【請求項７】
請求項１〜５のいずれか１項に記載の燃料噴射装置であって、
前記内燃機関のＥＧＲによるＥＧＲ率を調整するＥＧＲ率調整手段を有し、
前記ＥＧＲ率調整手段により前記ＥＧＲ率が変更されたときに、前記燃料噴射制御手段は、前記プレ噴射の前記噴射条件を変更することを特徴とする燃料噴射装置。
【請求項８】
請求項７に記載の燃料噴射装置であって、
前記ＥＧＲ率に応じて前記エマルジョン燃料の性状を変更することを特徴とする燃料噴射装置。
【請求項９】
請求項１〜８のいずれか１項に記載の燃料噴射装置であって、
前記一般燃料と水を混合して前記エマルジョン燃料の性状を調整して変更するエマルジョン燃料性状調整手段を備えることを特徴とする燃料噴射装置。
【請求項１０】
請求項７又は９に記載の燃料噴射装置であって、
前記内燃機関から排出される排気ガスの性状が悪化したときに、前記プレ噴射の前記噴射条件、前記ＥＧＲ率、前記エマルジョン燃料の前記性状のうち少なくとも１つを変更することを特徴とする燃料噴射装置。
【請求項１１】
請求項１〜１０のいずれか１項に記載の燃料噴射装置であって、
前記内燃機関の停止前に、前記燃料噴射制御手段は、前記燃料切替手段によって前記エマルジョン燃料を前記一般燃料に切り替えることを特徴とする燃料噴射装置。
【請求項１２】
請求項１〜１１のいずれか１項に記載の燃料噴射装置を備えることを特徴とする陸舶産業用内燃機関。
【請求項１３】
請求項７又は８に記載の燃料噴射装置を用いた陸舶産業用内燃機関であって、
前記ＥＧＲに前記内燃機関とは異なる熱機関からの排気ガスを導入することを特徴とする陸舶産業用内燃機関。
【手続補正２】
【補正対象書類名】明細書
【補正対象項目名】０００８
【補正方法】変更
【補正の内容】
【０００８】
請求項１に対応した内燃機関の気筒内に一般燃料とエマルジョン燃料を噴射する燃料噴射装置は、前記一般燃料と前記エマルジョン燃料を噴射するプレ噴射も可能な燃料噴射手段と、前記燃料噴射手段から噴射される燃料として前記一般燃料と前記エマルジョン燃料を切り替える燃料切替手段と、前記一般燃料と前記エマルジョン燃料の切り替えを設定する燃料切替設定手段と、前記内燃機関の運転中に前記燃料切替設定手段で前記一般燃料から前記エマルジョン燃料への切り替えが設定されたときに、前記燃料切替手段で前記一般燃料から前記エマルジョン燃料に切り替えると共に、前記燃料噴射手段における前記プレ噴射の噴射条件の変更を行う燃料噴射制御手段を備える。前記プレ噴射の噴射タイミングは、クランク角度において、例えば、上死点から−２５°〜−１５°の角度範囲で行うことが好適であり、−２０°〜−１６°の角度範囲とすればより好適である。
【手続補正３】
【補正対象書類名】明細書
【補正対象項目名】０００９
【補正方法】変更
【補正の内容】
【０００９】
ここで、前記燃料噴射制御手段は、前記燃料切替設定手段で前記一般燃料が設定されているときにも前記プレ噴射を行うと共に、前記燃料切替設定手段で前記一般燃料から前記エマルジョン燃料への切り替えが設定されたときには前記プレ噴射の前記噴射条件を変更することが好適である。前記プレ噴射の前記噴射条件とは、噴射燃料種、噴射タイミング、噴射量、噴射圧力等である。
【手続補正４】
【補正対象書類名】明細書
【補正対象項目名】００１２
【補正方法】変更
【補正の内容】
【００１２】
また、前記燃料噴射制御手段は、前記主燃料系より噴射される前記一般燃料又は前記エマルジョン燃料の性状により前記副燃料系による前記プレ噴射の前記噴射条件を変更することが好適である。
【手続補正５】
【補正対象書類名】明細書
【補正対象項目名】００１３
【補正方法】変更
【補正の内容】
【００１３】
また、前記内燃機関のＥＧＲによるＥＧＲ率を調整するＥＧＲ率調整手段を有し、前記ＥＧＲ率調整手段により前記ＥＧＲ率が変更されたときに、前記燃料噴射制御手段は、前記プレ噴射の前記噴射条件を変更することが好適である。
【手続補正６】
【補正対象書類名】明細書
【補正対象項目名】００１５
【補正方法】変更
【補正の内容】
【００１５】
また、前記一般燃料と水を混合して前記エマルジョン燃料の性状を調整して変更するエマルジョン燃料性状調整手段を備えることが好適である。
【手続補正７】
【補正対象書類名】明細書
【補正対象項目名】００１６
【補正方法】変更
【補正の内容】
【００１６】
また、前記内燃機関から排出される排気ガスの性状が悪化したときに、前記プレ噴射の前記噴射条件、前記ＥＧＲ率、前記エマルジョン燃料の前記性状のうち少なくとも１つを変更することが好適である。
【手続補正８】
【補正対象書類名】明細書
【補正対象項目名】００２０
【補正方法】変更
【補正の内容】
【００２０】
本発明の内燃機関の気筒内に一般燃料とエマルジョン燃料を噴射する燃料噴射装置は、前記一般燃料と前記エマルジョン燃料を噴射するプレ噴射も可能な燃料噴射手段と、前記燃料噴射手段から噴射される燃料として前記一般燃料と前記エマルジョン燃料を切り替える燃料切替手段と、前記一般燃料と前記エマルジョン燃料の切り替えを設定する燃料切替設定手段と、前記内燃機関の運転中に前記燃料切替設定手段で前記一般燃料から前記エマルジョン燃料への切り替えが設定されたときに、前記燃料切替手段で前記一般燃料から前記エマルジョン燃料に切り替えると共に、前記燃料噴射手段における前記プレ噴射の噴射条件の変更を行う燃料噴射制御手段を備えることによって、エマルジョン燃料を用いた場合に一般燃料よりも着火遅れが大きくなることを防ぐことができる。これにより、排気ガス中の窒素酸化物（ＮＯｘ）を低減すると同時に、排気ガス中のスモーク、一酸化炭素（ＣＯ）も抑制し、前記内燃機関の熱効率の低下や燃焼の不安定化を避けることができる。また、前記内燃機関の運転中における一般燃料からエマルジョン燃料への切り替えが、熱効率や燃焼性を良好に保ちつつ実現できる。
【手続補正９】
【補正対象書類名】明細書
【補正対象項目名】００２１
【補正方法】変更
【補正の内容】
【００２１】
また、前記燃料噴射制御手段は、前記燃料切替設定手段で前記一般燃料が設定されているときにも前記プレ噴射を行うと共に、前記燃料切替設定手段で前記一般燃料から前記エマルジョン燃料への切り替えが設定されたときには前記プレ噴射の前記噴射条件を変更することによって、前記内燃機関での燃焼の状態に応じた前記プレ噴射とすることができ、排気ガス中の汚染物質の低減や前記内燃機関の安定運転をより効果的に行うことができる。
【手続補正１０】
【補正対象書類名】明細書
【補正対象項目名】００２４
【補正方法】変更
【補正の内容】
【００２４】
また、前記燃料噴射制御手段は、前記主燃料系より噴射される前記一般燃料又は前記エマルジョン燃料の性状により前記副燃料系による前記プレ噴射の前記噴射条件を変更することによって、燃料の性状に合わせて前記内燃機関の燃焼を制御することができる。これにより、排気ガス中の汚染物質をより低減でき、前記内燃機関をより安定して運転することができる。
【手続補正１１】
【補正対象書類名】明細書
【補正対象項目名】００２５
【補正方法】変更
【補正の内容】
【００２５】
また、前記内燃機関のＥＧＲによるＥＧＲ率を調整するＥＧＲ率調整手段を有し、前記ＥＧＲ率調整手段により前記ＥＧＲ率が変更されたときに、前記燃料噴射制御手段は、前記プレ噴射の前記噴射条件を変更することによって、ＥＧＲ率の変化に伴う排気ガスの性状の変化や前記内燃機関の燃焼状態の変化に応じた前記プレ噴射の前記噴射条件の制御を行うことができ、排気ガスの性状や前記内燃機関の燃料状態をより良好にすることができる。
【手続補正１２】
【補正対象書類名】明細書
【補正対象項目名】００２７
【補正方法】変更
【補正の内容】
【００２７】
特に、前記一般燃料と水を混合して前記エマルジョン燃料の性状を調整して変更するエマルジョン燃料性状調整手段を備えることによって、ＥＧＲ率の変化に伴う排気ガスの性状の変化や前記内燃機関の燃焼状態の変化に応じて前記エマルジョン燃料の性状をより細かく調整することができるとともに、エマルジョン燃料を噴射の直前で性状調整できるため、水の分離や劣化の問題が解消できる。
【手続補正１３】
【補正対象書類名】明細書
【補正対象項目名】００２８
【補正方法】変更
【補正の内容】
【００２８】
また、前記内燃機関から排出される排気ガスの性状が悪化したときに、前記プレ噴射の前記噴射条件、前記ＥＧＲ率、前記エマルジョン燃料の前記性状のうち少なくとも１つを変更することが好適である。これにより、排気ガスの性状に応じて、前記プレ噴射の前記噴射条件、前記ＥＧＲ率、前記エマルジョン燃料の性状を調整することができ、排気ガスの性状や前記内燃機関の燃料状態をより良好にすることができる。